(57)【要約】【課題】株価分析を支援するための分析指標を表現可能なローソク足による株価チャートを生成できるようにする。【解決手段】株価チャート提供システムは、株価情報を入力する株価情報入力手段５と、その株価情報に基づいて株価チャートを生成する株価チャート生成手段６と、生成された株価チャートを出力する株価チャート出力手段７とを有している。ここで株価チャート生成手段６が生成する株価チャートは、株の値動きの指標である始値、終値、高値、及び安値を表現するローソク足チャートにおいて、上記の指標に加えて、出来高や取組高、あるいは他の分析指標等他の株価評価指標をデザインによって表現している。例えば、ローソク足の柱の色及びその色の濃度によって、他の株価評価指標を表現する。【選択図】        図１
2005031838.tif 000002
【特許請求の範囲】
【請求項１】
株価情報を入力する株価情報入力手段と、該株価情報入力手段に入力した株価情報に基づいて、株価チャートを生成する株価チャート生成手段と、該株価チャート生成手段が生成した株価チャートを出力する株価チャート出力手段とを有し、該株価チャート生成手段が生成する株価チャートは、株の値動きの指標である始値、終値、高値、及び安値を表現するローソク足チャートにおいて、前記始値、終値、高値、及び安値に加えて、他の株価評価指標をデザインによって表現した株価チャートであることを特徴とする株価チャート提供システム。
【請求項２】
請求項１に記載の株価チャート提供システムにおいて、前記株価チャート生成手段は、ローソク足の柱の色及びその色の濃度によって、前記他の株価評価指標を表現することを特徴とする株価チャート提供システム。
【請求項３】
請求項２に記載の株価チャート提供システムにおいて、前記株価チャート生成手段は、ローソク足の柱の色及び／または色の濃度を段階的に変化させることによって、前記他の株価評価指標を表現することを特徴とする株価チャート提供システム。
【請求項４】
請求項１または３に記載の株価チャート提供システムにおいて、該株価チャート提供システムは、証券取引所から提供される株価情報をオンラインで取得するための株価情報取得手段を有し、前記株価情報入力手段は、前記株価情報取得手段が取得した株価情報を株価チャートを生成するための情報として入力することを特徴とする株価チャート提供システム。
【請求項５】
請求項１ないし４のいずれか１に記載の株価チャート提供システムにおいて、前記他の株価評価指標情報を取得するための株価評価指標取得手段を有し、前記株価情報入力手段は、前記株価情報取得手段が取得した株価評価指標情報を株価チャートを生成するための情報として入力することを特徴とする株価チャート提供システム。
【請求項６】
請求項１ないし５のいずれか１に記載の株価チャート提供システムにおいて、該株価チャート提供システムは、前記株価チャート生成手段によって生成された株価チャートをインターネット上に接続された端末装置に送信するウェブサーバ手段を有することを特徴とする株価チャート提供システム。
【請求項７】
請求項６に記載の株価チャート提供システムにおいて、該株価チャート提供システムは、前記端末装置から送信された認証情報を認証する認証手段を有し、前記ウェブサーバ手段は、前記認証手段で認証された端末装置に対して、該端末装置からの要求に応じて前記株価チャートを送信することを特徴とする株価チャート提供システム。
【請求項８】
請求項１ないし７のいずれか１に記載の株価チャート提供システムの機能を実現するプログラム。
【請求項９】
請求項８に記載のプログラムを記録した記録媒体。
【発明の詳細な説明】
【０００１】
【発明の属する技術分野】
本発明は、株価チャート提供システム、株価チャート提供方法、株価チャート提供プログラム及び記録媒体に関し、特に、ローソク足を用いた株価チャートにおいて従来の指標に加えた他の指標をも表現できるようにした株価チャートを提供する技術に関する。
【０００２】
【従来の技術】
株価チャートは、株価の動きに関する過去の経緯を表現したものであり、例えば、投資家にとっては、これからの株価を予測するための重要なメッセージとして用いられるものである。株価チャートの表示方式として、例えば、ローソク足チャートが一般的に用いられている。
【０００３】
図８は、従来のローソク足による株価チャートの表現方法について説明するための図である。ローソク足では、終値が始値よりも高い場合を陽線とし、終値が始値より低い場合を陰線として区別し、それに高値及び安値を表すヒゲを付けることによって、株価の動きをビジュアルに表現している。通常、陽線ではその柱を白抜きで表示し、陰線では柱を黒ベタにして表示するようにしている。
【０００４】
株の売買に参加する投資家は、上記のようなローソク足の株価チャートを見て、株価の今後のトレンドを予測する。
【０００５】
上記のような株価チャートにおいて、例えば、特許文献１には、所定の条件を満足する株価チャートの一部を注目位置とし、その注目位置を区別するためにパターンマークやニュースマークを付加したり、また注目位置を異なる色彩で表示するようにした株価チャートが開示されている。ここでは、上記所定の条件として、買いパターンに合致するローソク足の表示位置、対象銘柄に関連するニュース記事が存在している日付に対応するローソク足の表示位置、出来高棒グラフにおける出来高異常の棒の表示位置等が設定される。
【０００６】
【特許文献１】
特開２０００―２７４８３７号公報
【０００７】
【発明が解決しようとする課題】
例えば、株価は、企業の業績、為替相場、政府の景気対策、災害といった様々な要素や、市場参加者の思惑等を全て飲み込んで変動するものとされている。このようなことから、投資家等が株価を分析する場合に、上記のような株価チャートのみならず、企業業績をはじめとする景気動向などの基礎的要因、所謂ファンファダメンタルズを表す各種の分析指標を評価することによって、株価トレンドを判断する材料とすることができる。
【０００８】
ローソク足の株価チャートは、基本的に上述のように、始値、終値、高値、及び安値によって株価の動きを表現するものであって、他の分析指標は、他のチャートや資料を参照する必要があった。
【０００９】
また、上記特許文献１のような株価チャートにおいても、株価分析を支援するために、所定の条件に従う株価の動き位置を注目位置として表示するものの、他の分析指標をローソク足のチャートの表現方法のみによって、ビジュアルに表示するようなものではなかった。
【００１０】
本発明は、上述のごとき実情に鑑みてなされたもので、株価分析を支援するための分析指標を表現可能なローソク足による株価チャートを生成できるようにした、株価チャート提供システム、該システムの機能を実現するプログラム及び記録媒体を提供することを目的とするものである。
【００１１】
【課題を解決するための手段】
請求項１の発明は、株価情報を入力する株価情報入力手段と、該株価情報入力手段に入力した株価情報に基づいて、株価チャートを生成する株価チャート生成手段と、該株価チャート生成手段が生成した株価チャートを出力する株価チャート出力手段とを有し、該株価チャート生成手段が生成する株価チャートは、株の値動きの指標である始値、終値、高値、及び安値を表現するローソク足チャートにおいて、前記始値、終値、高値、及び安値に加えて、他の株価評価指標をデザインによって表現した株価チャートであることを特徴としたものである。
【００１２】
請求項２の発明は、請求項１の発明において、前記株価チャート生成手段は、ローソク足の柱の色及びその色の濃度によって、前記他の株価評価指標を表現することを特徴としたものである。
【００１３】
請求項３の発明は、請求項２の発明において、前記株価チャート生成手段は、ローソク足の柱の色及び／または色の濃度を段階的に変化させることによって、前記他の株価評価指標を表現することを特徴としたものである。
【００１４】
請求項４の発明は、請求項１または３の発明において、該株価チャート提供システムは、証券取引所から提供される株価情報をオンラインで取得するための株価情報取得手段を有し、前記株価情報入力手段は、前記株価情報取得手段が取得した株価情報を株価チャートを生成するための情報として入力することを特徴としたものである。
【００１５】
請求項５の発明は、請求項１ないし４のいずれか１の発明において、前記他の株価評価指標情報を取得するための株価評価指標取得手段を有し、前記株価情報入力手段は、前記株価情報取得手段が取得した株価評価指標情報を株価チャートを生成するための情報として入力することを特徴としたものである。
【００１６】
請求項６の発明は、請求項１ないし５のいずれか１の発明において、該株価チャート提供システムは、前記株価チャート生成手段によって生成された株価チャートをインターネット上に接続された端末装置に送信するウェブサーバ手段を有することを特徴としたものである。
【００１７】
請求項７の発明は、請求項６の発明において、該株価チャート提供システムは、前記端末装置から送信された認証情報を認証する認証手段を有し、前記ウェブサーバ手段は、前記認証手段で認証された端末装置に対して、該端末装置からの要求に応じて前記株価チャートを送信することを特徴としたものである。
【００１８】
請求項８の発明は、請求項１ないし７のいずれか１に記載の株価チャート提供システムの機能を実現するプログラムである。
【００１９】
請求項９の発明は、請求項８に記載のプログラムを記録した記録媒体である。
【００２０】
【発明の実施の形態】
以下に本発明の株価情報提供システムの実施形態を添付された図面を参照して具体的に説明する。なお、実施形態を説明するための全図において、同様の機能を有する部分には同じ符号を付け、その繰り返しの説明は省略する。
【００２１】
図１は、本発明による株価チャート提供システムの実施の形態を説明するためのブロック図である。株価チャート提供システムは、表示装置が接続されたコンピュータ装置によって実現可能である。図１に示すように、本実施形態の株価チャート提供システムは、ＣＰＵ１，操作入力部２，株価情報記憶部３，表示装置４，株価情報入力手段５，株価チャート生成手段６，株価チャート出力手段７を有する。
【００２２】
ＣＰＵ１は、本株価チャート提供システムの各種制御処理を実行する。また、操作入力部２は、キーボードやマウス、またはタッチパネル等が適用される。また、マイクによる音声入力手段と、入力した音声を音声認識する音声認識手段を用いて操作入力情報を生成するようにしてもよい。
【００２３】
株価情報記憶部３は、操作入力部２もしくは他の外部システムから入力した株価情報を記憶し、また、株価チャート生成手段６で生成した株価チャート情報を記憶する記憶手段で、ＨＤＤやＲＡＭ等の記憶メモリによって実現される。
【００２４】
表示装置４には、液晶ディスプレイやブラウン管ディスプレイを用いることができ、本システムの操作に関する入力画面や各種の管理画面の表示、あるいは株価情報や株価チャート情報を表示するために用いられる。なお、株価チャート提供システムは、表示装置４を必ずしも備える必要はなく、入力した株価情報に従って株価チャートを生成し、接続された外部の機器にその株価チャート情報を出力できる構成を有していればよい。
【００２５】
株価情報入力手段５，株価チャート生成手段６，及び株価チャート出力手段７は、プログラムによって実現されるもので、ＨＤＤやＲＡＭ等の記憶手段に保持されたプログラムがＣＰＵ１によって適宜読み出されてその処理が実行される。株価情報入力手段５は、表示装置４に対して株価チャートを作成すべき銘柄に関する株価情報の入力を促す。例えば、本株価チャート提供システムのユーザが、上記のごとくの株価情報を操作入力部２を使用して入力すると、株価情報入力手段５は、入力された株価情報を株価情報記憶部３に保持せしめ、株価チャート生成に使用することができるようにする。
【００２６】
株価チャート生成手段６は、株価情報入力手段５によって入力された株価情報に基づいて、株価チャートを生成する。本発明によって生成される株価チャートは、株の値動きの指標である始値、終値、高値、及び安値情報に加えて、他の株価評価指標をデザインによって表現したローソク足チャートである。この株価チャートの具体例については後述する。株価チャート生成手段６が生成した株価チャート情報は、株価情報記憶部３に記憶され保持される。
【００２７】
株価チャート出力手段７は、株価チャート生成手段６が生成した株価チャート情報を、表示装置４や外部機器やシステムに出力させる。株価チャート出力手段７による株価チャート情報の出力は、操作入力部２に入力した指示情報に従って、あるいはデフォルトで定められた出力先情報に従って実行される。
【００２８】
図２は、本発明に係わる株価チャートの表示例について説明するための図で、ローソク足による株価チャートの一例を図２（Ａ）に、株価チャートの凡例の一例を図２（Ｂ）に示すものである。本発明に係わる株価チャートは、上述したごとくに、株の値動きの指標である始値、終値、高値、及び安値情報を表現する従来のローソク足チャートにおいて、上記の値動きの指標情報に加えて、他の所定の株価評価指標をデザインによって表現したものである。図２（Ａ）の例では、ローソク足の柱の色及び／または色の濃度によって、所定の株価評価指標を表現させている。
【００２９】
株価評価指標としては、数多くの指標が提供されている。本発明では、予め定めた評価指標とその表示方法に従って、株価チャートを生成する。
株価評価指標そして、例えば、出来高、取組高、累積売買高等、移動平均株価等の推移情報、時価総額等の株式属性情報、あるいは１株配当，１株利益，１株当たり純資産，配当利回り，ＰＥＲ（株価収益率），ＰＢＲ（株価純資産倍率），ＲＯＡ（使用総資本利益率），ＲＯＥ（株主資本利益率），株主資本比率等の投資指標等を設定することができる。
【００３０】
上記のような株価評価指標のいずれかをローソク足の柱の色によって表現する。また、複数の評価指標に従う株価チャートを生成して、例えば、表示装置４に表示させる株価チャートや他の外部機器に出力させる株価チャートを切り替えることができるようにしてもよい。
【００３１】
図２の例では、ローソク足の柱部の色表示として、左端のローソク足から順に薄青、水色、青、赤、ピンクが用いられている。ここで、ローソク足の陰線と陽線を区別するために、青系の色を陰線とし、赤系の色を陽線として定めておく。そして、たとえば出来高を表示する場合に、色の濃度に対応した出来高レベルを定める。
【００３２】
このときに、銘柄によって出来高レベルが異なるため、チャート生成手段は、出来高範囲と色濃度とを対応できる凡例を作成し、株価チャート情報に付加しておく。
図２に凡例の一例を示す。図２の凡例においては、一日当たりの出来高４０万株までを青系（陰線）と赤系（陽線）の濃度に従って区別できるようにしている。チャート生成手段は、一日あるいは週または月等のローソク足の表示期間設定に従って、凡例を変化させて、ユーザが視認しやすい形態で表示できるようにする。
【００３３】
図３は、本発明による株価チャート提供システムの他の実施形態について説明するための図である。本実施形態の株価チャートシステムは、図１に示す構成に加えて、ネットワーク制御部８と株価情報取得手段９を有している。ネットワーク制御部８は、インターネットや専用回線によるネットワークに接続するインターフェースと、その接続機能を実現するプログラムによって実現される。また、株価情報取得手段はプログラムによって実現され、ＨＤＤやＲＡＭ等の記憶手段に保持された当該プログラムがＣＰＵ１によって適宜読み出されてその処理が実行される。
【００３４】
図１の例では、株価チャート生成手段６が株価チャートを生成するために使用する株価情報は、操作入力部２から入力された情報を用いるようにしているが、本実施形態においては、外部から提供される株価情報をネットワークを介して取得し、その取得情報を用いて株価チャートを生成するようにしている。
【００３５】
例えば、証券取引所からリアルタイムで提供される株価情報をネットワークを介してオンラインで取得する。すなわち、本実施形態のネットワーク制御部８によって、証券取引所の株価情報提供システムに対して公衆回線もしくは専用回線を介して接続し、株価情報取得手段９がオンラインで株価情報を取得する。なお、株価チャート提供システムの接続先は、証券取引所のシステムではなく、証券取引所との契約のもとに、証券取引所における取引情報を提供する株価情報提供会社のシステムであってもよい。
【００３６】
図４は、本発明による株価チャート提供システムの更に他の実施形態について説明するための図である。本実施形態の株価チャートシステムは、図３に示す構成に加えて、株価評価指標取得手段１０を有している。株価評価指標は、上述の出来高や取組高を含む、各種の評価指数をさすものであり、株価評価指標取得手段１０は、これら株価評価指標のうち、株価チャート生成に用いる所定の株価評価指標を取得する。株価評価指標取得手段１０はプログラムによって実現され、ＨＤＤやＲＡＭ等の記憶手段に保持された当該プログラムがＣＰＵ１によって適宜読み出されてその処理が実行される。
【００３７】
株価評価指標取得手段１０は、表示装置４に対して株価チャートを作成すべき銘柄に関する株価評価指標情報の入力を促す。例えば、本株価チャート提供システムのユーザが、上記のごとくの株価評価指標情報を操作入力部２を使用して入力すると、株価評価指標取得手段１０は、入力された株価評価指標情報を株価情報記憶部３に保持せしめ、株価チャート生成に使用することができるようにする。
【００３８】
また、株価評価指標取得手段１０は、ネットワークを介してオンラインで株価評価指標情報を取得するようにしてもよい。例えば、証券会社や他のサービス提供会社から提供される株価評価情報をネットワークを介してオンラインで取得する。すなわち、本実施形態のネットワーク制御部８によって、証券会社等の株価評価指標情報提供システムに対して公衆回線もしくは専用回線を介して接続し、株価評価指標取得手段１０がオンラインで株価情報を取得する。
【００３９】
図５は、本発明による株価チャート提供システムの他の実施形態について説明するための図である。本実施形態の株価チャートシステムは、図５に示す構成に加えて、ウェブサーバ手段１１を有している。ウェブサーバ手段１１は、プログラムによって実現されるもので、株価チャート生成手段６によって生成された株価チャートをインターネット上に接続された端末装置に送信する。
【００４０】
本実施形態の株価チャート提供システムは、株価チャート提供サービスを実施できるサーバ装置として機能する。そしてインターネットを介して接続した端末装置に対して、株価チャート生成手段６が生成した株価チャート情報を送信するサービスを提供できる。
【００４１】
図６は、本発明による株価チャート提供システムの他の実施形態について説明するための図である。本実施形態の株価チャートシステムは、図６に示す構成に加えて、認証手段１２を備えている。例えば、上述のように、インターネットを介して接続した端末装置に対して、株価チャート生成手段６が生成した株価チャート情報を送信するサービスを提供する場合、顧客端末の認証を行う認証手段１２を設け、認証手段１２によって認証された顧客端末にのみ、株価チャートを提供することができる。
【００４２】
認証手段１２は、例えば、顧客端末から送信されたＩＤやパスワード等の認証情報を用いて、登録されている顧客情報との照合を行って株価チャートの配信を許可する。
認証手段１２はプログラムによって実現され、ＨＤＤやＲＡＭ等の記憶手段に保持された当該プログラムがＣＰＵ１によって適宜読み出されてその処理が実行される。
【００４３】
図７は、上記図５及び図６で説明したごとくのインターネットによる株価チャート提供サービスを実施するシステムを説明するための図である。本発明に係わる株価チャート提供システム２４は、インターネット２３を介して顧客端末２０に接続する。株価チャート提供システム２４は、図６に示すごとくのウェブサーバ手段１１を有し、顧客端末２０に対して株価チャートを配信する。このときに、インターネットに接続する図示しない他のウェブサーバに株価チャート情報を転送し、該他のウェブサーバによって顧客端末２０に対する株価チャートの配信サービスを提供するようにしてもよい。
【００４４】
株価チャート提供システム２４は、証券取引所等の証券取引データ供給システム２１から証券取引データすなわち株価データを取得し、取得した株価データを用いて株価チャートを生成する。株価チャート提供システム２４と証券取引データ供給システム２１とは、インターネット２３を介して接続されていてもよく、また専用回線によって接続されていてもよい。
【００４５】
また、株価チャート提供システム２４は、株価評価指標データ供給システム２２から株価評価指標評価データを取得し、取得した株価評価指標評価データを用いて株価チャートを生成する。株価チャート提供システム２４と株価評価指標評価データ供給システム２２とは、インターネット２３を介して接続されていてもよく、また専用回線によって接続されていてもよい。
また、上記の証券取引データ供給システム２１と、株価評価指標データ供給システム２２とは、同一のシステムであってもよい。
【００４６】
本発明の記録媒体としては、具体的には、ＣＤ−ＲＯＭ、光磁気ディスク、ＤＶＤ−ＲＯＭ、フレキシブルディスク、フラッシュメモリ、及びその他各種ＲＯＭやＲＡＭ等が想定でき、これら記録媒体に上述した本発明の機能を実現するためのプログラムないしデータを記録して流通させることにより、当該機能の実現を容易にする。そしてコンピュータ等の情報処理装置に上記のごとくの記録媒体を装着して情報処理装置によりプログラムないしデータを読み出すか、若しくは情報処理装置が備えている記憶媒体に当該プログラムないしデータを記憶させ、必要に応じて読み出すことにより、本発明に関わる株価チャート提供機能を実現することができる。
【００４７】
【発明の効果】
以上の説明から明らかなように、本発明によれば、株価分析を支援するための分析指標を表現可能なローソク足による株価チャートを生成できるようにすることによって、多様な情報を一目で視認できる利便性の高い株価チャート提供システムを得ることができる。
また、本発明の株価チャート提供システムを利用することにより、他のサービスとの差別化を図り、顧客に有用な株価情報を提供できる株価チャート提供サービスを実施することができる。
【図面の簡単な説明】
【図１】本発明による株価チャート提供システムの実施の形態を説明するためのブロック図である。
【図２】本発明に係わる株価チャートの表示例について説明するための図である。
【図３】本発明による株価チャート提供システムの他の実施形態について説明するための図である。
【図４】本発明による株価チャート提供システムの更に他の実施形態について説明するための図である。
【図５】本発明による株価チャート提供システムの他の実施形態について説明するための図である。
【図６】本発明による株価チャート提供システムの他の実施形態について説明するための図である。
【図７】上記図５及び図６で説明したごとくのインターネットによる株価チャート提供サービスを実施するシステムを説明するための図である。
【図８】従来のローソク足による株価チャートの表現方法について説明するための図である。
【符号の説明】
１…ＣＰＵ、２…操作入力部、３…株価情報記憶部、４…表示装置、５…株価情報入力手段、６…株価チャート生成手段、７…株価チャート出力手段、８…ネットワーク制御部、９…株価情報取得手段、１０…株価評価指標取得手段、１１…ウェブサーバ手段、１２…認証手段、２０…顧客端末、２１…証券取引データ供給システム、２２…株価評価指標評価データ供給システム、２３…インターネット、２４…株価チャート提供システム。
【図１】
2005031838.tif 000003
【図２】
2005031838.tif 000004
【図３】
2005031838.tif 000005
【図４】
2005031838.tif 000006
【図５】
2005031838.tif 000007
【図６】
2005031838.tif 000008
【図７】
2005031838.tif 000009
【図８】
2005031838.tif 000010